(57)【要約】      （修正有）【課題】カップ部を有する衣類を、着用時にカップ部が体の動きに追随して変形し、カップ部上部に浮きが生じたり、カップ部から脇部の肉がはみ出してバストの形状が崩れることが軽減されて美しいバストシルエットを保つことができるパッドをカップ部に装着したカップ部を有する衣類を提供する。【解決手段】左右カップ部の前中心側の上辺からバージスライン近傍に並行して切り込み部を形成した。更にパッド上辺に伸縮部材を配置したこと、およびカップ部の表裏面側に伸縮性布地を用いてパッドを被覆した。【選択図】    図１
2008163469.tif 000002
【特許請求の範囲】
【請求項１】
少なくとも２つのカップ部とバック部を有し、カップ部にパッドを装着したカップ部を有する衣類であって、該パッドが、装着時の前中心側の上辺から着用時のバージスラインに沿って、あるいはバージスライン近傍に並行して延びる切り込み部を有し、かつ該切り込み部の切り込み端部が着用時のバージスライン最下点より前中心側にあることを特徴とするカップ部を有する衣類。
【請求項２】
前記切り込み端部から着用時のバージスラインに直角に下ろした線とバージスラインとの交点からバージスライン最下点までの長さが、バージスラインに沿って５〜５０ｍｍの範囲にあることを特徴とする請求項１記載のカップ部を有する衣類。
【請求項３】
カップ部下部周縁にワイヤーを配設してなることを特徴とする請求項１または２に記載のカップ部を有する衣類。
【請求項４】
パッド上辺に相当する位置に沿って伸縮性部材を取り付けてなることを特徴とする請求項１乃至３のいずれか一項に記載のカップ部を有する衣類。
【請求項５】
カップ部が１／２カップタイプのカップ部であり、ストラップ部を有しない、あるいは着脱可能なストラップ部を有することを特徴とする請求項４記載のカップ部を有する衣類。
【請求項６】
伸縮性部材のカップ部への固着部分が、一方の端部は着用時の脇部側上辺端部であり、他方の端部が、着用時の前中心側から、着用時のバージスライン最下点から上方へ延ばした垂直線とパッド上辺との交点までのパッド上辺に沿う長さの３分の１より前中心側にあることを特徴とする請求項５記載のカップ部を有する衣類。
【請求項７】
カップ部が３／４カップタイプのカップ部であることを特徴とする請求項４記載のカップ部を有する衣類。
【請求項８】
伸縮性部材のカップ部への固着部分がパッド上辺全体であることを特徴とする請求項７記載のカップ部を有する衣類。
【請求項９】
カップ部において、表側および肌側を伸縮性を有する布地を用いてパッドを被覆することを特徴とする請求項１乃至８のいずれか一項に記載のカップ部を有する衣類。
【請求項１０】
ブラジャー、ブラスリップ、トップス、ブラキャミソール、ボディスーツ、カップ部付きテディ、水着から選ばれた衣類であることを特徴とする請求項１乃至９のいずれか一項に記載のカップ部を有する衣類。
【発明の詳細な説明】
【技術分野】
【０００１】
本発明は、カップ部にパッドを装着したカップ部を有する衣類に関し、詳しくは、着用時にカップ部がバストからずれにくいカップ部を有する衣類に関する。
【背景技術】
【０００２】
近年、特に夏季は、薄地のアウターを着用することも多いが、外観に響かないよう、予め所望の乳房形状を現出するよう成形して形成されるパッドをカップ部に取り付ける、あるいはカップ部そのものとしたカップ部を有する衣類を用いることが多い。
【０００３】
また、近年の衣類の多様化の下、フォーマル時や夏季のアウターとして、肩部が露出するデザインの衣類や、胸元や背部に大きな開口部を有する衣類を着用する機会が増えている。これらのアウター着用時には、特に、１／２カップタイプのカップ部を有するブラジャーなどカップ部を有する衣類を、ストラップ部のない、あるいはストラップ部をはずした状態でインナーとして着用することも多い。
【発明の開示】
【発明が解決しようとする課題】
【０００４】
しかし、上記のような成形されたパッドを用いたカップ部を有する衣類は、着用時に体の動きに追随しきれず、カップ部上部に浮きが生じたり、カップ部から脇部の肉がはみ出してバストの形状が崩れるなどの問題があった。
【０００５】
本発明は、カップ部を有する衣類を、着用時にカップ部が体の動きに追随して変形し、カップ部上部に浮きが生じたり、カップ部から脇部の肉がはみ出してバストの形状が崩れることが軽減されて美しいバストシルエットを保つことができるパッドをカップ部に装着したカップ部を有する衣類を提供することを目的とする。
【課題を解決するための手段】
【０００６】
上記の課題を解決するために、本発明は、次の様なカップ部を有する衣類を提供するものである。
【０００７】
（１）少なくとも２つのカップ部とバック部を有し、カップ部にパッドを装着したカップ部を有する衣類であって、該パッドが、装着時の前中心側の上辺から着用時のバージスラインに沿って、あるいはバージスライン近傍に並行して延びる切り込み部を有し、かつ該切り込み部の切り込み端部が着用時のバージスライン最下点より前中心側にあることを特徴とするカップ部を有する衣類。
【０００８】
（２）前記切り込み端部から着用時のバージスラインに直角に下ろした線とバージスラインとの交点からバージスライン最下点までの長さが、バージスラインに沿って５〜５０ｍｍの範囲にあることを特徴とする（１）記載のカップ部を有する衣類。
【０００９】
（３）カップ部下部周縁にワイヤーを配設してなることを特徴とする（１）または（２）に記載のカップ部を有する衣類。
【００１０】
（４）パッド上辺に相当する位置に沿って伸縮性部材を取り付けてなることを特徴とする（１）乃至（３）のいずれか一項に記載のカップ部を有する衣類。
【００１１】
（５）カップ部が１／２カップタイプのカップ部であり、ストラップ部を有しない、あるいは着脱可能なストラップ部を有することを特徴とする（４）記載のカップ部を有する衣類。
【００１２】
（６）伸縮性部材のカップ部への固着部分が、一方の端部は着用時の脇部側上辺端部であり、他方の端部が、着用時の前中心側から、着用時のバージスライン最下点から上方へ延ばした垂直線とパッド上辺との交点までのパッド上辺に沿う長さの３分の１より前中心側にあることを特徴とする（５）記載のカップ部を有する衣類。
【００１３】
（７）カップ部が３／４カップタイプのカップ部であることを特徴とする（４）記載のカップ部を有する衣類。
【００１４】
（８）伸縮性部材のカップ部への固着部分がパッド上辺全体であることを特徴とする（７）記載のカップ部を有する衣類。
【００１５】
（９）カップ部において、表側および肌側を伸縮性を有する布地を用いてパッドを被覆することを特徴とする（１）乃至（８）のいずれか一項に記載のカップ部を有する衣類。
【００１６】
（１０）ブラジャー、ブラスリップ、トップス、ブラキャミソール、ボディスーツ、カップ部付きテディ、水着から選ばれた衣類であることを特徴とする（１）乃至（９）のいずれか一項に記載のカップ部を有する衣類。
【発明の効果】
【００１７】
本発明のカップ部を有する衣類は、着用時に、カップ部が体の動きに追随して変形し、カップ部上部に浮きが生じたり、カップ部から脇部の肉がはみ出してバストの形状が崩れることが軽減されて美しいバストシルエットを保つことができ、良好な着用感が得られる。
【発明を実施するための最良の形態】
【００１８】
以下、図面を用いて、本発明を詳細に説明するが、本発明は下記の実施形態に限定されるものではない。
【００１９】
［実施形態１］
図１は、本発明の実施形態の一例であるカップ部を有する衣類のカップ部に装着されるパッドの構成を示す正面図である。図１のパッド１は、１／２カップタイプのカップ部に装着されるパッドであって、装着時の前中心側Ｓの上辺２から着用時のバージスライン３近傍に並行して延びる切り込み部４を有し、かつ該切り込み部４の切り込み端部４ａが着用時のバージスライン最下点Ｘより前中心側（図中Ｆで示される）にある。
【００２０】
上記構成とすることにより、パッド１をカップ部に装着したカップ部を有する衣類は、ストラップ部を有しない、あるいははずした状態でも、着用時にカップ部が体の動きに追随して変形し、カップ部上部に浮きが生じたり、カップ部から脇部の肉がはみ出してバストの形状が崩れることが軽減される。図６に、図１のパッド１を取り付けたカップ部を有する衣類における作用を説明する説明図を示す。図６のカップ部を有する衣類であるブラジャー１０は、２つのカップ部、１１、１１、バック部１２、１２（一方のみ図示）、前中心部１３を有し、図１のパッド１をそれぞれのカップ部１１に装着してなる。  
パッド１に設けられた切り込み部４によって形成される空隙が開閉することにより、図中矢印ｍで示される方向にパッド１が変形し、パッドが体の動きに追随する。
【００２１】
本発明に使用されるパッドに設けられる切り込み部の配置は、着用時のバージスライン近傍に並行して延びれば良く、パッドの形状によっては着用時のバージスラインに沿って延びる配置であっても良い。
【００２２】
本発明に使用されるパッドに設けられる切り込み部の長さは、切り込み部の切り込み端部が着用時のバージスライン最下点より前中心側にあれば特に限定されないが、切り込み端部から着用時のバージスラインに直角に下ろした線とバージスラインとの交点からバージスライン最下点までの長さが、バージスラインに沿って５〜５０ｍｍの範囲にあるのが好ましい。図２に、本発明に使用されるパッドの切り込み部の範囲を説明する正面図を示す。図２は、図１のパッド１における切り込み部の範囲を説明するものである。図２において、切り込み端部４ａから着用時のバージスラインに直角に下ろした線とバージスラインとの交点Ｙからバージスライン最下点Ｘまでのバージスラインに沿う長さをＬ１とすると、この長さＬ１が５〜５０ｍｍの範囲にあるのが好ましい。切り込み部の長さを上記になるようにすると、体の動きに追随するパッドの変形がより適切な範囲となり、本発明の作用がより効果的に発現する。
【００２３】
本発明に使用されるパッドにおいて、上記切り込み部以外の平面形状は、概ねカップ部と同様の形状であれば特に限定されない。また、本発明においてパッドは予め所望の乳房形状を現出するよう成形して形成されるものであって、切り込み部を設けることにより、動作時にも乳房の変形に追随してパッド形状が適切に変形し、バストの形状を崩すことなく保持できる。
【００２４】
本発明において、パッドを構成する素材は、通常一般にカップ部に使用されるパッドと同様の、例えば、ウレタンフォーム、不織布、ダブルニット、ダブルラッセル等が挙げられる。成形などのパッドの製造方法は、使用する素材に応じて適宜選択されるが、本発明において、パッドが特にウレタンフォームなどをモールド成形したパッドである場合、切り込み部の形成が容易であり、また乳房の変形に追随してパッド形状が変形する効果が得に高く得られる。
【００２５】
本発明のカップ部を有する衣類は、上記の構成のような切り込み部を有するパッドをカップ部に装着した構成を有する。本発明のカップ部を有する衣類は、少なくとも２つのカップ部とバック部を有する。
【００２６】
本発明のカップ部を有する衣類は、カップ部をパッドのみから構成しても良いし、パッドを主要部分として、パッドの保持性や着用感の向上、デザイン上の点から、本発明の作用を阻害しない範囲で、表側および／または肌側に布地などの他部材を用いても良い。特に、カップ部において、表側および肌側を伸縮性を有する布地を用いてパッドを被覆するのが、パッドの保持性や着用感を向上した上で、パッドが体の動きに追随して変形する作用を妨げず、好ましい。
【００２７】
上記伸縮性を有する布地としては、特に限定されず、カップ部を有する衣類に通常使用される、例えば、丸編み布地、パワーネット、トリコット等が挙げられる。また、表側と肌側は、同種の布地でも異なる種類の布地であっても良い。
【００２８】
本発明のカップ部を有する衣類は、バストの保持力を高めるよう、カップ部下部周縁にワイヤーを配設した構成であっても良い。図３は、本発明のカップ部を有する衣類において、ワイヤーとのパッドの配置の関係を示す正面図、図４は、図３のパッドの装着時の状態を横方向から見た説明図である。ワイヤー５以外の、図１のパッドと同一態様の部分には、同一の符号を付し、重複説明を省略している。なお、ワイヤーは通常一般のものと同様のものを使用できる。
【００２９】
本発明のカップ部を有する衣類は、パッド上辺に相当する位置に沿って伸縮性部材を取り付けてなるのが好ましい。パッド上辺に相当する位置に沿って伸縮性部材を取り付けることにより、パッド上辺に相当する位置付近の上辺に沿った方向の伸縮性（図６の本発明のカップ部を有する衣類において両矢印ｎで示される。）が付与され、パッドが体の動きに追随して変形する作用がより高められる。
【００３０】
本発明のカップ部を有する衣類において、上記のようにパッド上辺に相当する位置に沿って伸縮性部材を取り付ける際に、カップ部が１／２カップタイプのカップ部である場合は、伸縮性部材のカップ部への固着部分が、一方の端部は着用時の脇部側上辺端部であり、他方の端部が、着用時の前中心側から、着用時のバージスライン最下点から上方へ延ばした垂直線とパッド上辺との交点までのパッド上辺に沿う長さの３分の１より前中心側にあるのが、より好ましい。伸縮性部材のカップ部への固着部分を上記範囲とすることにより、パッド上辺に相当する位置に沿った方向の伸縮性がより効果的に付与される。図５は、本発明のカップ部を有する衣類において、パッド上辺に相当する位置に沿って取り付けた伸縮性部材の固着部分の範囲を説明する正面図である。図５においては、図１のパッドと同一態様の部分には、同一の符号を付し、重複説明を省略している。伸縮性部材６のカップ部への固着部分７の一方の端部は着用時の脇部側（図中Ｂで示される）上辺端部である。他方の端部８は、着用時の前中心側Ｓから、着用時のバージスライン最下点Ｘから上方へ延ばした垂直線（図中一点鎖線Ｔで示される）とパッド上辺との交点（図中Ｚで示される）までのパッド上辺に沿う長さの３分の１より前中心側（図中Ｆで示される）にある。即ち、前中心側Ｓから交点Ｚまでのパッド上辺に沿う長さをＬ２、前中心側Ｓから端部８までのパッド上辺に沿う長さをＬ３とすると、Ｌ３／Ｌ２が１／３以下となるようにするのが好ましい。
【００３１】
本発明のカップ部を有する衣類において、パッド上辺に相当する位置に沿って伸縮性部材を取り付ける場合、伸縮部材のパッドの表裏に対する配置や取り付け方法は特に限定されない。図７は、本発明のパッドを取り付けたカップ部を有する衣類において、パッド上辺に相当する位置に沿って取り付けた伸縮性部材の固着方法の例を示す部分断面図である。本発明はもちろんこれらの例に限定されない。図７においては、いずれもパッド１の表側および肌側を伸縮性を有する布地を用いて被覆している。図７（ａ）においては、パッド１の肌側を被覆する布地２１の上辺はパッド１の上辺と同位置にあるが、パッド１の表側を被覆する布地２０がパッド１および布地２１の上辺をくるむように延び、布地２０の延びた部分と布地２１との間に挟まれるように伸縮性部材２２がパッド１の肌側に配置されて、縫合部２３により、パッド１、布地２０、２１の上部、伸縮性部材２２が固着されている。図７（ｂ）においては、パッド１と、パッド１の表側を被覆する布地２４の上部、パッド１の肌側を被覆する布地２５の上部の配置は、図７（ａ）と同様であるが、伸縮性部材２２が布地２４の延びた部分の更に肌側に配置されて、縫合部により、パッド１、布地２４、２５の上部、伸縮性部材２２が固着されている。なお、図７（ｂ）においては、まず、布地２４と布地２５が縫合部２６ａにより縫合され、さらに、パッド１、布地２４、２５、伸縮性部材２２が縫合部２６ｂにより縫合されて、縫合部が表側に表れない構成となっている（縫合部２６ａ、２６ｂは実際には重なっているが、説明のためにずらした状態としている）。図７（ｃ）においては、パッド１の表側を被覆する布地２７の上辺と、肌側を被覆する布地２８の上辺は、共にパッド１の上辺と同位置にあり、伸縮性部材２９が、パッド１、布地２７、２８の上部をくるむように配置されて、縫合部３０により固着されている。固着方法は、縫合に限定されず、使用する素材等により、熱融着や接着などの他の方法を用いることもできる。縫合を用いる場合は、ワンステッチがスリーステッチを用いるのが好ましい。
【００３２】
上記の伸縮性部材としては、図７（ａ）、（ｂ）のようなテープ材や、図７（ｃ）のような幅広の布地片等が挙げられる。さらに、複数の部材を使用しても良い。また、その素材は特に限定されず、例えば、ストレッチテープ等が挙げられる。
【００３３】
図８は、本発明のカップ部を有する衣類の一例である１／２カップタイプのカップ部を有するブラジャーの実施形態例の背面図である。図８におけるブラジャー１０は、２つのカップ部１１、１１、バック部１２、１２、およびカップ部下側に設けられた前中心部１３を有するバックオープンタイプのブラジャーである。バック部１２、１２においてそれぞれの端部に取り付けられた係止部材１４と１５を係止させることによりブラジャーを保持することができる。カップ部１１、１１は、図１のパッド１を用い、表側および肌側を伸縮性を有する布地を用いて被覆し、さらに図５の範囲と同様に、カップ部上辺に沿って伸縮性部材を配置して固着している。
【００３４】
本発明のカップ部を有する衣類において、カップ部が１／２カップタイプである場合、パッド上辺に相当する位置に沿った方向の伸縮性の作用は、ストラップ部を有しない状態で特に効果的に発現されるため、本発明のカップ部を有する衣類として、図８のブラジャー１０のようなストラップ部を有しない形態のものが挙げられるが、後述の図１２に示されるボディスーツのような、通常一般のカップ部を有する衣類と同様の着脱可能なストラップ部を有しているものも含まれる。
【００３５】
本発明のカップ部を有する衣類において、上記のようにパッド上辺に相当する位置に沿って伸縮性部材を取り付ける際に、カップ部が３／４カップタイプのカップ部である場合は、伸縮性部材のカップ部への固着部分がパッド上辺全体であるのが、より好ましい。カップ部が３／４カップタイプである場合、ストラップ部を有するが、ストラップ部によって引かれる力の方が、パッド上辺に相当する位置に沿った方向の伸縮作用より大きくなるため、伸縮性部材のカップ部への固着部分をパッド上辺全体とすることにより、むしろ切り込み部が開きすぎることを抑制し、適度な変形が生じるようになる。図９は本発明のカップ部を有する衣類のカップ部に装着されるパッドの他の実施形態例である、３／４カップタイプのカップ部に装着されるパッドの構成を示す正面図である。図９のパッド１’は、図１のパッド１と同様の切り込み部４’を有し、さらにパッド上辺全体に亘り、伸縮性部材６’が固着部分７’によって固着されている。なお、伸縮性部材の固着部分の範囲、パッドの平面形状、ストラップ部を有すること以外の構成は、１／２カップタイプのカップ部を有する衣類と同様である。
【００３６】
上記構成とすることにより、パッド１’をカップ部に装着したカップ部を有する衣類は、着用時にカップ部が体の動きに追随して適度に変形し、カップ部上部に浮きが生じたり、カップ部から脇部の肉がはみ出してバストの形状が崩れることが軽減される。図１０に、上記のパッド１’を取り付けたカップ部を有する衣類における作用を説明する説明図を示す。図１０のカップ部を有する衣類であるブラジャー１０’は、２つのカップ部、１１’、１１’、バック部１２、１２（一方のみ図示）、前中心部１３を有し、図９のパッド１’をそれぞれのカップ部１１’に装着してなる。パッド１’に設けられた切り込み部４’によって形成される空隙が開閉すること、および伸縮性部材によって切り込み部上部の開閉が抑制されることにより、図中矢印ｍ’で示される方向にパッド１’が変形し、パッドが体の動きに追随する。パッド１’の変形は切り込み部の中央部で大きく、下部では小さく、上部では中程度となる。
【００３７】
図１１は、本発明のカップ部を有する衣類の一例である３／４カップタイプのカップ部を有するブラジャーの実施形態例の背面図である。図１１におけるブラジャー１０’は、２つのカップ部１１’、１１’、バック部１２、１２、およびカップ部下側に設けられた前中心部１３、ストラップ部１６、１６を有するバックオープンタイプのブラジャーである。バック部１２、１２においてそれぞれの端部に取り付けられた係止部材１４と１５を係止させることによりブラジャーを保持することができる。カップ部１１’、１１’は、図９のパッド１’を用い、表側および肌側を伸縮性を有する布地を用いて被覆し、さらにパッド上辺全体に亘り、カップ部上辺に沿って伸縮性部材を配置して固着している。
【００３８】
本発明において、上記構成以外のカップ部を有する衣類の構成は、特に限定されず、その形状、素材、製造方法等は本発明の作用を阻害しない範囲で、通常一般のカップ部を有する衣類と同様に構成され、例えばボーン等の他の構成を有していても良い。また、図８におけるブラジャー１０は、カップ部１１下側に前中心部１３が取り付けられているが、デザイン状の都合などから一部あるいは全部のアンダーバスト部がない形状であっても良い。
【００３９】
本発明のカップ部を有する衣類として、具体的には、上記実施形態のようなブラジャーの他に、ブラスリップ、トップス、ブラキャミソール、ボディスーツ、カップ部付きテディ、水着等が挙げられる。本発明のカップ部を有する衣類は、カップ部、あるいは前中心部の下側に、ウェスト近傍あるいは更にその下側まで延在する胴部を有していても良い。
【００４０】
図１２、１３に本発明のカップ部を有する衣類の別の実施形態を示す。図１２は本発明のカップ部を有する衣類であるボディスーツの実施形態例の外観斜視図、図１３は本発明のカップ部を有する衣類である水着の実施形態例の外観斜視図であり、いずれも胴部（図中、符号４０、４１で示される。）を有する形状である。また、図１２のボディスーツは、取り外し可能なストラップ部１６、１６を備える。なお、図８のブラジャーの示した態様と同一の部分には、同一の符号を付し、重複説明を省略している。
【産業上の利用可能性】
【００４１】
本発明のカップ部を有する衣類は、着用時に、カップ部が体の動きに追随して変形し、カップ部上部に浮きが生じたり、カップ部から脇部の肉がはみ出してバストの形状が崩れることが軽減されて美しいバストシルエットを保つことができ、良好な着用感が得られるので、薄地の衣類をアウターとして着用する際のインナー用として有用であり、特に１／２カップタイプのカップ部を有するものはストラップ部を有しない、あるいははずした状態でも美しいバストシルエットを保つことができるため、肩部が露出するデザインの衣類や、胸元や背部に大きな開口部を有する衣類をアウターとして着用する際のインナー用として有用である。
【図面の簡単な説明】
【００４２】
【図１】本発明のカップ部を有する衣類のカップ部に装着されるパッドの実施形態例の正面図。
【図２】本発明のカップ部を有する衣類のカップ部に装着されるパッドの切り込み部の範囲を説明する正面図。
【図３】本発明のカップ部を有する衣類において、ワイヤーとのパッドの配置の関係を示す正面図。
【図４】図３のパッドの装着時の状態を横方向から見た説明図。
【図５】本発明の１／２カップタイプのカップ部を有する衣類において、パッド上辺に相当する位置に沿って取り付けた伸縮性部材の固着部分の範囲を説明する正面図。
【図６】本発明の１／２カップタイプのカップ部を有する衣類における作用を説明する説明図。
【図７】本発明のカップ部を有する衣類において、パッド上辺に相当する位置に沿って取り付けた伸縮性部材の固着方法の例を示す部分断面図。
【図８】本発明の１／２カップタイプのカップ部を有する衣類であるブラジャーの実施形態例の背面図。
【図９】本発明のカップ部を有する衣類のカップ部に装着されるパッドの他の実施形態例の正面図。
【図１０】図９のカップ部を有する衣類における作用を説明する説明図。
【図１１】本発明の３／４カップタイプのカップ部を有する衣類であるブラジャーの実施形態例の背面図。
【図１２】本発明のカップ部を有する衣類であるボディスーツの実施形態例の外観斜視図。
【図１３】本発明のカップ部を有する衣類である水着の実施形態例の外観斜視図。
【符号の説明】
【００４３】
１、１’  パッド
２  上辺
３  バージスライン
４、４’  切り込み部
４ａ  切り込み端部
５  ワイヤー
６、６’  伸縮性部材
７、７’  伸縮性部材の固着部分
８  伸縮性部材の固着部分の前中心側端部
１０、１０’  ブラジャー
１１、１１’
カップ部  
１２  バック部
１３  前中心部
１４、１５  係止部材
１６  ストラップ部
２０、２４、２７  表側の布地
２１、２５、２８  肌側の布地
２２、２９  伸縮性部材
２３、２６ａ、２６ｂ、３０  縫合による固着部分
４０、４１  胴部
Ｆ  前中心側
Ｂ  脇部側
Ｓ  前中心側（上辺）
Ｘ  着用時のバージスライン最下点
Ｙ  切り込み端部から着用時のバージスラインに直角に下ろした線とバージスラインとの交点
Ｚ  着用時のバージスライン最下点から上方へ延ばした垂直線とパッド上辺との交点
【図１】
2008163469.tif 000003
【図２】
2008163469.tif 000004
【図３】
2008163469.tif 000005
【図４】
2008163469.tif 000006
【図５】
2008163469.tif 000007
【図６】
2008163469.tif 000008
【図７】
2008163469.tif 000009
【図８】
2008163469.tif 000010
【図９】
2008163469.tif 000011
【図１０】
2008163469.tif 000012
【図１１】
2008163469.tif 000013
【図１２】
2008163469.tif 000014
【図１３】
2008163469.tif 000015